(57)【特許請求の範囲】
【請求項１】
物干し竿を保持する竿掛部材と、
前記竿掛部材を下端部に固定した筒状の支柱と、
前記支柱の長手方向が鉛直方向となる第１の位置と前記支柱の長手方向が水平方向となる第２の位置との間を移動するように前記支柱の上端部を回転自在に支持する支持部材と、
前記支柱の下端部が前記第１の位置及び前記第２の位置のそれぞれに位置している状態で前記支柱の上端部の回転を規制する規制部材と、
前記支柱に備えられ、前記規制部材の規制を解除する操作を受け付ける操作部材と、
前記操作部材の操作力を前記規制部材に伝達する伝達部材と、
を備え、
前記竿掛部材は、前記支柱の下端部が前記第１の位置から前記第２の位置まで移動する間に水平とならない傾斜面で前記物干し竿を保持し、
前記規制部材は、前記支柱の上端部に半径方向に沿って形成された貫通孔と、前記貫通孔に前記半径方向に沿って挿脱自在にされたストッパと、前記ストッパを前記半径方向の外側から内側に向かって付勢するスプリングと、を備え、前記ストッパが前記貫通孔に嵌入することで前記支柱の上端部の回転を規制し、
前記伝達部材は、下端部に前記操作部材が固定されて前記支柱の内部における上端部から下端部までの間に配置された操作バーと、前記操作バーの上端部に固定されて前記貫通孔に挿入されたプッシャと、を備え、前記操作部材が前記支柱の下端部から上端部に向かって押圧操作された際に、前記操作バー及び前記プッシャの移動によって前記ストッパを前記貫通孔に嵌入しない位置に移動させる、はね上げ型物干し装置。
【請求項２】
前記竿掛部材は、前記傾斜面内に少なくとも１つの楕円弧部を有し、前記支柱の回転面内で前記支柱の長手方向に対して傾斜した板状を呈しており、
前記楕円弧部を前記物干し竿が貫通する請求項１に記載のはね上げ型物干し装置。
【請求項３】
前記傾斜面が前記支柱の回転面内で前記支柱の長手方向に対して４５度の角度で傾斜している請求項１又は２に記載のはね上げ型物干し装置。
【発明の詳細な説明】
【技術分野】
【０００１】
この発明は、ベランダの天井面等の物干し位置上面に着脱自在に取り付けられ、物干し竿の保持位置を上下に変位自在にした伸縮型物干し装置に関する。
【背景技術】
【０００２】
ベランダ等の物干し位置で物干し竿を保持する装置として、ベランダの天井面等の物干し位置上面に上端部を固定した伸縮自在の支柱の下端部に物干し竿を保持する竿掛部材を備えたものがある。物干し竿を竿掛部材に保持させる際や洗濯物を物干し竿に掛ける際には、支柱を伸長させて竿掛部材を下方に位置させる。物干し竿に掛け終えた洗濯物を干す際には、通風等を考慮して支柱を所望の長さに収縮させ、竿掛部材を上方に位置させる。不使用時には、支柱を最も収縮させて竿掛部材を最上部に位置させることで、竿掛部材の下方を人や物が通過できる状態になる。
【０００３】
さらに、従来の物干し装置では、支柱を物干し位置上面に着脱自在に取り付け、不使用時に竿掛部材を支柱とともに取り外すことで、ベランダ等の物干し位置に十分な高さの空間を作り、物干し位置での人や物の移動をより容易にできるようにしたものもある。例えば、支柱の下部に把手を設け、把手の上下方向の操作によって支柱の伸縮の規制を解除し、把手の回転方向の操作によって支柱の保持を解除するようにした構成が開示されている（例えば、特許文献１参照。）。
【特許文献１】特開２００８−６１１９号公報
【発明の開示】
【発明が解決しようとする課題】
【０００４】
しかし、従来の物干し装置では、支柱を着脱する際に竿掛部材から物干し竿を抜き取る必要があり、物干し位置に十分な高さの空間を作るための作業が煩雑になる問題がある。
【０００５】
この発明の目的は、物干し竿を竿掛部材に保持したままの状態で、竿掛部材が固定された支柱の下端部を上方にはね上げることができるようにし、竿掛部材から物干し竿を抜き取ることなく物干し位置に十分な高さの空間を作ることができるはね上げ型物干し装置を提供することにある。
【課題を解決するための手段】
【０００６】
この発明のはね上げ型物干し装置は、竿掛部材、支柱、支持部材、規制部材、操作部材を備えている。支柱は、筒状を呈し、竿掛部材を下端部に固定している。支持部材は、支柱の長手方向が鉛直方向となる第１の位置と前記支柱の長手方向が水平方向となる第２の位置との間を移動するように記支柱の上端部を回転自在に支持する。規制部材は、支柱の下端部が第１の位置及び第２の位置のそれぞれに位置している状態で支柱の上端部の回転を規制する。操作部材は、規制部材の規制を解除するための操作を受け付ける。伝達部材は、操作部材の操作力を前記規制部材に伝達する。竿掛部材は、支柱の下端部が第１の位置から第２の位置まで移動する間に水平とならない傾斜面で物干し竿を保持する。
規制部材は、支柱の上端部に半径方向に沿って形成された貫通孔と、貫通孔に半径方向に沿って挿脱自在にされたストッパと、ストッパを半径方向の外側から内側に向かって付勢するスプリングと、を備え、ストッパが貫通孔に嵌入することで支柱の上端部の回転を規制する。
伝達部材は、下端部に操作部材が固定されて支柱の内部における上端部から下端部までの間に配置された操作バーと、操作バーの上端部に固定されて貫通孔に挿入されたプッシャと、を備え、操作部材が支柱の下端部から上端部に向かって押圧操作された際に、操作バー及びプッシャの移動によってストッパを貫通孔に嵌入しない位置に移動させる。これによって、支柱の上端部の回転の規制が解除される。
【０００７】
物干し竿が保持される竿掛部材の傾斜面は、支柱の上端部の回転によって支柱の下端部が第１の位置から第２の位置まで移動する間に水平とならない。したがって、竿掛部材に物干し竿を保持させた状態のまま、支柱の回転によって支柱の下端部が第１の位置から第２の位置まで移動する。
【０００８】
この構成において、竿掛部材が、傾斜面内に少なくとも１つの楕円弧部を有し、支柱の回転面内で支柱の長手方向に対して傾斜した板状を呈し、楕円弧部に物干し竿を貫通させるものであってもよい。支柱の上端部の回転による竿掛部材の角度変化による孔部内の物干し竿の変位を許容することができ、竿掛部材の物干し竿を保持する部分の形状を小型化することがでる。これによって、竿掛部材に多数の楕円弧部を形成することができる。
【０００９】
また、第１の位置を支柱の長手方向が鉛直方向となる位置とし、第２の位置を支柱の長手方向が水平方向となる位置としてもよい。この場合に、傾斜面を支柱の回転面内で支柱の長手方向に対して４５度の角度で傾斜させることで、楕円弧部の形状を最小にすることができる。
【００１０】
なお、楕円弧部は、全楕円形状の孔部及び部分楕円形状の凹部を含む。
【発明の効果】
【００１１】
この発明によれば、物干し竿を竿掛部材に保持したままの状態で、竿掛部材が固定された支柱の下端部を上方にはね上げることができ、竿掛部材から物干し竿を抜き取ることなく物干し位置に十分な高さの空間を作ることができる。
【発明を実施するための最良の形態】
【００１２】
図１は、この発明の実施形態に係るはね上げ型物干し装置の外観図である。はね上げ型物干し装置１０は、支柱１、竿掛部材２、台座３、支持部材４を備えている。
【００１３】
台座３は、ベランダの天井面等の物干し位置上面に固定される。支持部材４は、台座３に固定される。台座３には水平溝３１及び傾斜溝３２が形成されている。支持部材４は、水平溝３１及び傾斜溝３２のそれぞれを貫通した取付ネジ３３，３４を介して、物干し位置上面の傾斜角に応じた所定範囲内の角度を設けて台座３に取り付けられる。
【００１４】
支持部材４は、支柱１の上端部を回転自在に支持する。支柱１は上下面が開放した筒体である。一例として、支柱１は、上端を支持部材4に支持されることによって、長手方向が鉛直方向となる位置と長手方向が水平方向となる位置との間の９０度の角度範囲内で回転自在にされている。支柱１の回転によって支柱１の下端部は、物干し位置上面から最も離間する第１の位置と支柱1の下端部が物干し位置上面に最も近接する第２の位置との間を移動する。
【００１５】
竿掛部材２は、中央部に筒状の取付部２１を備え、取付部２１の両側に板状部２２が延出している。取付部２１は、支柱１の下端部に支柱１の長手方向に沿って下方から外嵌した後、図示しない止めネジを介して固定される。左右の板状部２２のそれぞれには、孔部２３が、一例として２通ずつ形成されている。孔部２３には、物干し竿１００が挿入される。
【００１６】
支柱１の長手方向が鉛直方向となり、支柱１の下端部が第１の位置にある状態で、竿掛部材２が最も下方に位置し、孔部２に挿入された物干し竿１００に洗濯物を掛ける作業を行うことができる。支柱１の長手方向が水平方向となり、支柱１の下端部が第２の位置にある状態で、竿掛部材２は最も上方に位置し、物干し位置に十分な空間が形成される。
【００１７】
図２（Ａ）及び（Ｂ）は、上記はね上げ型物干し装置の正面断面図及び側面断面図である。支柱１は、上下面が開放した筒状を呈している。支柱１の下端部には、操作部材５が支柱１の長手方向に沿って移動自在に保持されており、操作部材５の底面は支柱１の下端面に露出している。支柱１の内部には、操作バー５１が長手方向に貫通して配置されている。操作部材５は、操作バー５１の下端に固定されている。操作バー５１の上端には、プッシャ５２が固定されている。
【００１８】
支持部材４は、第１のストッパ４２、第１のスプリング４３、第２のストッパ４４、第２のスプリング４５を備えている。ストッパ４２は、軸４１の上部で鉛直方向に移動自在にされている。スプリング４３は、ストッパ４２を鉛直下方に付勢している。ストッパ４４は、軸４１の前方で水平方向に移動自在にされている。スプリング４５は、ストッパ４４を背面側に付勢している。
【００１９】
支柱１の上端には、中心軸が支柱１の軸方向に直交する円柱状の係止部材１１が固定されている。係止部材１１は支持部材４に回転自在に支持されており、支柱１は係止部材１１の軸廻りに係止部材１１とともに支持部材４に回転自在にされている。係止部材１１は、中心に貫通孔１３を備えている。貫通孔１３には、下方からプッシャ５２が嵌入しており、上方からストッパ４２又は４４が選択的に嵌入する。
【００２０】
支柱１の下端部が第１の位置にあり、支柱１の長手方向が鉛直方向に平行である場合、操作部材５が操作されていない状態で、貫通孔１３にストッパ４２が嵌入する。支柱１の下端部が第２の位置にあり、支柱１の長手方向が水平方向に平行である場合、操作部材５が操作されていない状態で、貫通孔１３にストッパ４４が嵌入する。いずれの場合にも、支持部材４における支柱１の上端の回転が規制される。
【００２１】
プッシャ５２は、貫通孔１３内でストッパ４２又はストッパ４４に当接する。操作部材５が支持部材４に向けて押圧操作されると、操作部材５に伴ってプッシャ５２が操作バー５１とともに支持部材４側に移動し、ストッパ４２又はストッパ４４を押圧し、ストッパ４２又はストッパ４４は貫通孔１３に嵌入しなくなる。これによって、支柱１の上端が、支持部材４に対して回転可能になる。
【００２２】
上記の構成において、ストッパ４２，４４、スプリング４３，４５、貫通孔１３がこの発明の規制部材に相当し、操作バー５１及びプッシャ５２が同じく伝達部材に相当する。
【００２３】
図３は、上記はね上げ型物干し装置の側面図である。竿掛部材２の板状部２２は、側面視において支柱１に対して一例として４５度の角度で傾斜している。
【００２４】
支柱１の下端部が第１の位置にある状態から第２の位置にある状態まで、９０度の角度範囲で支柱１が回転する間に、板状部２２は側面視において水平方向に平行となることがない。このため、使用時の垂直状態から竿掛部材２の孔部２３に物干し竿１００が水平に挿入された状態のままで、収納時の水平状態まで支柱１を回転させることができる。
【００２５】
したがって、洗濯物を干す際には、支柱１を使用時の垂直状態にし、濯物を竿掛部材２の孔部２３に挿入された物干し竿１００に掛けて洗濯物を乾燥させる。乾燥した洗濯物を取り込んだ後には、竿掛部材２から物干し竿１００を引き抜くことなく収納時の水平状態まで支柱１を回転させることができる。
【００２６】
物干し竿１００に洗濯物を掛ける際、及び物干し位置に十分な空間を作成する際に、物干し竿１００を竿掛部材２の孔部２３に挿入したり抜き取ったりする必要がなく、これらの作業を容易に行うことができる。
【００２７】
なお、竿掛部材２に形成される孔部２３は、幅方向について物干し竿１００が貫通できる大きさにされており、幅方向に直交する方向について幅方向よりも大きい楕円形に形成されている。
【００２８】
このため、孔部２３は、支柱１が使用時の状態から収納時の状態まで回転する間における孔部２３と物干し竿１００との相対的な角度変化に対応できる最小サイズとすることができ、孔部２３が形成される板状部２２のサイズを最小にすることができる。
【００２９】
また、支柱１は使用時の状態で必ずしも鉛直となる必要はなく、収納時の状態で必ずしも水平となる必要はない。さらに、板状部２２の傾斜角度は、必ずしも支柱1の長手方向に対して４５度である必要はない。板状部２２の傾斜角度は、支柱1が使用時の状態から収納時の状態まで回転する間に、前面視における孔部２３の高さが物干し竿１００の外径よりも小さくならない角度であることを条件に、任意の角度とすることができる。
【００３０】
なお、竿掛部材２で物干し竿１００を保持する部分は、必ずしも孔部２３である必要はなく、上部が開放した凹部であってもよい。
【００３１】
また、図４に示すように、ストッパ４４に一端を固定したワイヤ等の紐体１２を例えばスプリング４５を貫通させて支持部材４の側面から外部に垂下させてもよい。はね上げ型物干し装置１０を取り付けるべき物干し位置上面が高い場合に、操作部材５の押圧操作に代えて紐体１２を下方に引くことで、ストッパ４４による支柱１の水平状態での固定を解除することができる。この場合に、支持部材４の内部に支柱１の下方への回転に制動力を作用させる部材を設け、支柱１の回転速度を減速するようにしてもよい。
【００３２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３３】
【図１】この発明の実施形態に係るはね上げ型物干し装置の外観図である。
【図２】（Ａ）及び（Ｂ）は、上記はね上げ型物干し装置の正面断面図及び側面断面図である。
【図３】上記はね上げ型物干し装置の側面図であり、同図（Ａ）は支柱の下端部が第１の位置にある使用時の状態を示し、同図（Ｂ）は支柱の下端部が第２の位置にある収納時の状態を示している。
【符号の説明】
【００３４】
１−支柱
２−竿掛部材
４−支持部材
５−操作部材
１０−はね上げ型物干し装置
１３−貫通孔（規制部材）
４２，４４−ストッパ（規制部材）
４３，４５−スプリング（規制部材）
５１−操作バー（伝達部材）
５２−プッシャ（伝達部材）
【図１】
0005210023.tif 000002
【図２】
0005210023.tif 000003
【図３】
0005210023.tif 000004